(57)【特許請求の範囲】
【請求項１】
単一又は複数の用紙に画像形成処理を行う印刷ジョブが入力する入力部と、
前記入力部から入力した印刷ジョブを記憶する記憶部と、
印刷ジョブを実行する画像形成部と、
画像形成処理済みの用紙が排出される排紙トレイを含む排紙部と、
種々の情報を表示する表示部及び前記画像形成部の動作指示の入力操作を受け付ける入力操作部を含み、前記排紙部の近傍に設置された排紙部設置操作部と、
前記排紙部設置操作部に印刷ジョブの進行状況に関する情報を表示させる制御部と、を備え、
前記制御部は、いずれの印刷ジョブも実行していない前記画像形成部の待機中といずれかの印刷ジョブを実行している前記画像形成部の動作中とで前記表示部の表示内容を切り換え、前記画像形成部の待機中には、実行待ち中の印刷ジョブの識別情報の一覧を実行順序情報とともに前記表示部に表示させ、前記画像形成部の動作中には、実行中の印刷ジョブの識別情報を前記表示部に表示させる、画像形成装置。
【請求項２】
前記制御部は、前記画像形成部の動作中に、実行中の印刷ジョブの識別情報を、前記表示部の表示画面の全域への表示又は強調表示の少なくともいずれか一方を行わせる、請求項１に記載の画像形成装置。
【請求項３】
前記排紙部設置操作部は、前記排紙部に着脱自在に設置され、前記排紙部から離脱した状態において前記制御部との間で無線情報通信を行う、請求項１又は２に記載の画像形成装置。
【請求項４】
前記排紙部設置操作部は、実行中の印刷ジョブを中断させる割り込み入力操作であって前記画像形成部の動作指示の入力操作を受け付ける本体操作部における割り込み入力操作を禁止する割り込み禁止設定の入力操作を受け付ける、請求項１から３のいずれかに記載の画像形成装置。
【請求項５】
前記画像形成部と前記排紙部とが互いに異なる筐体で構成されて横並びに配置され、
前記画像形成部と前記排紙部との間に少なくとも１個の用紙後処理装置をさらに備える、請求項１から４のいずれかに記載の画像形成装置。
【発明の詳細な説明】
【技術分野】
【０００１】
この発明は、印刷ジョブを実行して画像形成処理済みの用紙を排出する画像形成装置に関する。
【背景技術】
【０００２】
従来より、画像形成装置の中には、画像形成処理条件の設定や処理実行指示等の動作指示の入力操作、及び、印刷ジョブの進行状況やエラー表示等の種々の情報の表示を行う本体操作部を備えたものがある。本体操作部は、画像形成処理を開始させる際に動作指示の入力操作等を行いやすいように装置本体の上部に配置されている。自己が入力した印刷ジョブの進行状況を認識するためには本体操作部の表示内容を確認する必要がある一方、自己が入力した印刷ジョブによって画像形成処理された用紙が実際に排出されたか否かを認識するためには排紙トレイを確認する必要がある。このため、本体操作部と排紙トレイとの間の距離が長くなるほど作業性が低下する。
【０００３】
近年、画像形成装置の中には、多機能化にともなって大型化したものがあり、このような大型の画像形成装置では、本体操作部と排紙トレイを含む排紙部との間の距離が特に長いので、本体操作部を確認する際と排紙トレイを確認する際とでユーザは立ち位置を変える必要が生じ、非常に作業性が低下する。
【０００４】
そこで、排紙トレイの近傍に、液晶ディスプレイ等で構成された排紙情報表示部を備える画像形成装置が知られている（例えば、特許文献１参照。）。この従来の画像形成装置では、同一の外部装置からの排出指示による複数の排紙トレイへの排出紙がある場合に、これらが同一の外部装置からの排出紙であることが、排紙情報表示部に表示される。
【先行技術文献】
【特許文献】
【０００５】
【特許文献１】特開２０００−２６３８８９号公報
【発明の概要】
【発明が解決しようとする課題】
【０００６】
しかし、従来の画像形成装置では、印刷ジョブの進行状況に関する情報は排紙部近傍の排紙情報表示部には表示されないので、排紙情報表示部を確認しているだけでは、自己が入力した印刷ジョブによって画像形成処理された用紙があとどのくらいの時間で排紙トレイに排出されるのか、画像形成装置から一旦離れた場合にどのくらいの時間で排紙トレイへ排出紙を取り出しに戻って来たらいいのかを、把握することができない。このように、従来の画像形成装置では、自己が入力した印刷ジョブの進行状況を確認しつつ、画像形成処理された用紙が実際に排出されたか否かを確認するためには、互いに離れて配置されている本体操作部と排紙トレイとの両方を確認する必要が生じるので、作業性が低下する。
【０００７】
また、従来の画像形成装置では、排紙トレイへ排出された排出紙を確認して処理内容がユーザの要求に適合しないことが判明した場合等、排紙トレイの確認中に動作指示の入力操作を行う必要が生じた場合、排紙トレイの近傍から立ち位置を変えて、本体操作部を操作しに行かなければならず、作業性が低下する。
【０００８】
この発明の目的は、排出紙の取り出しの作業性を向上することができる画像形成装置を提供することにある。
【課題を解決するための手段】
【０００９】
この発明の画像形成装置は、入力部、記憶部、画像形成部、排紙部、排紙部設置操作部、及び制御部を備える。入力部には、単一又は複数の用紙に画像形成処理を行う印刷ジョブが入力する。記憶部は、入力部から入力した印刷ジョブを記憶する。画像形成部は、印刷ジョブを実行する。排紙部は、画像形成処理済みの用紙が排出される排紙トレイを含む。排紙部設置操作部は、種々の情報を表示する表示部及び画像形成部の動作指示の入力操作を受け付ける入力操作部を含み、排紙部の近傍に設置される。制御部は、排紙部設置操作部に印刷ジョブの進行状況に関する情報を表示させる。
【００１０】
この構成では、排紙部設置操作部が、排紙部に取り付けられる構成を含めて排紙部の近傍に設置されるので、立ち位置を変えずかつ視線を移す距離を小さくして、排紙部設置操作部と排紙トレイとの両方を容易に確認することができる。このため、印刷ジョブの進行状況の確認と、自己が入力した印刷ジョブによって画像形成処理された用紙が実際に排出されたか否かの確認とを、連続的に容易に行うことができる。
【００１１】
また、排紙トレイの確認中に動作指示の入力操作を行う必要が生じた場合、排紙トレイの近傍から立ち位置を変えずかつ視線を移す距離を小さくして、動作指示の入力操作を行うことができる。
【００１２】
上述の構成において、制御部は、印刷ジョブの待機中と実行中とで表示部の表示内容を切り換え、印刷ジョブの待機中には、実行待ち中の印刷ジョブの識別情報の一覧を実行順序情報とともに表示部に表示させ、印刷ジョブの実行中には、実行中の印刷ジョブの識別情報を表示部に表示させるように構成することができる。
【００１３】
この構成では、印刷ジョブと印刷ジョブとの合間、割り込み処理時の処理待ち時間中、及び時刻指定印刷時の待ち時間中等の、待機中には、実行待ち中の印刷ジョブの識別情報の一覧が実行順序情報とともに、排紙部の近傍で表示される。このため、自己が入力した印刷ジョブが実行される順序を、排紙トレイを確認しつつ、容易に認識することができる。これによって、自己が入力した印刷ジョブによって画像形成処理された用紙があとどのくらいの時間で排紙トレイに排出されるのか、画像形成装置から一旦離れた場合にどのくらいの時間で排紙トレイへ排出紙を取り出しに戻って来たらいいのかを、排紙トレイを確認しつつ、容易に予想することができる。また、印刷ジョブの実行中には、実行中の印刷ジョブの識別情報が表示されるので、排紙トレイに排出中の排出紙が、自己が入力した印刷ジョブによるものなのか否かを容易に認識することができる。
【００１４】
また、制御部は、印刷ジョブの実行中に、実行中の印刷ジョブの識別情報を、表示部の表示画面の全域への表示又は強調表示の少なくともいずれか一方を行わせるように構成することができる。
【００１５】
この構成では、画像形成装置から離隔した場所からでも、自己が入力した印刷ジョブの完了時期が近くなったことを容易に認識することができる。
【００１６】
さらに、排紙部設置操作部は、排紙部に着脱自在に設置され、排紙部から離脱した状態において制御部との間で無線情報通信を行うように構成することができる。
【００１７】
この構成では、画像形成装置から離隔した場所からでも、印刷ジョブの進行状況の確認、及び動作指示の入力操作を行うことができる。
【００１８】
また、排紙部設置操作部は、実行中の印刷ジョブを中断させる割り込み入力操作であって画像形成部の動作指示の入力操作を受け付ける本体操作部における割り込み入力操作を禁止する割り込み禁止設定の入力操作を受け付けるように構成することができる。
【００１９】
この構成では、先に印刷ジョブの実行を開始した第１ユーザが、排紙トレイの近傍に立って排出紙が排出されるのを確認している際に、他の第２ユーザが原稿をセットして本体操作部を操作することで印刷ジョブを開始させようとした場合でも、本体操作部における割り込み入力操作を禁止する割り込み禁止設定を、第１ユーザは排紙部設置操作部から入力操作することができる。このため、第１ユーザは、排紙トレイの確認中に立ち位置を変えずに他の第２ユーザによる割り込み入力操作を禁止し、自己の複数の印刷ジョブを連続して実行させることができる。
【００２０】
さらに、画像形成部と排紙部とが互いに異なる筐体で構成されて横並びに配置され、画像形成部と排紙部との間に少なくとも１個の用紙後処理装置をさらに備えるように構成することができる。
【００２１】
この構成では、画像形成部と排紙トレイとの間の距離が長くなり、画像形成部の近傍に配置される本体操作部と排紙トレイとの間の距離も長くなる。しかし、排紙部の近傍に表示部が設置され、この表示部に印刷ジョブの進行状況に関する状況が表示されるので、本体操作部を確認した後に排紙トレイへ移動するといった作業をする必要がなく、排紙部の近傍から立ち位置を変えずに、印刷ジョブの進行状況の確認と、自己が入力した印刷ジョブによって画像形成処理された用紙が実際に排出されたか否かの確認とを、連続的に容易に行うことができる。
【００２２】
また、排紙トレイの確認中に動作指示の入力操作を行う必要が生じた場合でも、排紙トレイの近傍から立ち位置を変えずに、動作指示の入力操作を行うことができる。
【発明の効果】
【００２３】
この発明によれば、排出紙の取り出しの作業性を向上することができる。
【図面の簡単な説明】
【００２４】
【図１】この発明の実施形態に係る画像形成装置の外観構成を示す正面上方側からの斜視図である。
【図２】画像形成装置の構成を示すブロック図である。
【図３】制御部の処理手順の一部を示すフローチャートである。
【図４】他の実施形態に係る画像形成装置の正面図である。
【図５】さらに他の実施形態に係る画像形成装置の正面図である。
【発明を実施するための形態】
【００２５】
以下に、この発明の実施形態について、図面を用いて説明する。
【００２６】
図１に示すように、この発明の実施形態に係る画像形成装置１０は、大容量給紙部２０、画像形成装置本体３０、用紙後処理部４０、排紙部５０、及び排紙部設置操作部１６０を備えている。
【００２７】
大容量給紙部２０、画像形成装置本体３０、用紙後処理部４０、及び排紙部５０は、互いに異なる筐体で構成されて、水平面に沿った一方向に横並びに配置されている。大容量給紙部２０、画像形成装置本体３０、用紙後処理部４０、及び排紙部５０は、用紙搬送方向９１においてこの順序で配置されている。即ち、画像形成装置本体３０と排紙部５０との間に、用紙後処理部４０が配置されている。
【００２８】
大容量給紙部２０は、複数の給紙トレイ２１，２２，２３及び手差しトレイ２４を有している。それぞれの給紙トレイ２１〜２３は、画像形成用の多数の用紙を収容可能に構成されている。大容量給紙部２０は、給紙トレイ２１〜２３及び手差しトレイ２４のうち選択されたいずれかのトレイから、用紙を１枚ずつ画像形成装置本体３０へ供給する。
【００２９】
画像形成装置本体３０は、本体給紙部３１、画像形成部３２、画像読取部３３、及び本体操作部３４を備えている。
【００３０】
画像読取部３３は、画像形成装置本体３０の上部に配置され、原稿の画像を読み取って画像データを生成する。画像読取部３３は、スキャナ部３３１及び自動原稿搬送装置３３２を含む。自動原稿搬送装置３３２は、所定の画像読取位置を経由するように原稿を１枚ずつ搬送する。スキャナ部３３１は、画像読取位置を搬送される原稿の画像を読み取る。
【００３１】
本体操作部３４は、画像形成装置本体３０の上部に配置されている。より具体的な例として、本体操作部３４は、画像形成装置本体３０の上面から大容量給紙部２０側の斜め上方へ延びるアームの先に支持され、表示画面を正面側へ向けて配置されている。本体操作部３４は、画像形成処理条件の設定や処理実行指示等の動作指示の入力、及び、印刷ジョブの進行状況に関する情報やエラー表示等の種々の情報の表示を行う。
【００３２】
本体給紙部３１は、画像形成用の用紙を収容可能に構成されている。画像形成装置本体３０では、大容量給紙部２０又は本体給紙部３１のいずれかから選択的に、用紙が１枚ずつ画像形成部３２へ供給される。画像形成部３２は、外部から入力した画像データ又は画像読取部３３から入力した画像データに基づいて、用紙に画像形成処理を行う。一例として、画像形成部３２は、電子写真方式の画像形成処理を行う。画像形成処理済みの用紙は、用紙後処理部４０へ搬送される。
【００３３】
用紙後処理部４０は、少なくとも１個の用紙後処理装置を含む。この実施形態では、用紙後処理部４０は、インサータユニット４１、紙折りユニット４２、及びサドルユニット４３を含む。インサータユニット４１、紙折りユニット４２、及びサドルユニット４３は、用紙搬送方向９１に沿って、この順序で横並び配置されている。
【００３４】
インサータユニット４１は、画像形成用の用紙とは別の挿入用の用紙を予め収容し、画像形成装置本体３０から紙折りユニット４２等の他の用紙後処理装置への用紙搬送路の途中で、画像形成装置本体３０から搬送されてきた画像形成処理済みの用紙と用紙との間に、挿入用の用紙を挿入することができる。
【００３５】
紙折りユニット４２は、画像形成処理済みの用紙に折り目を付けることができる。サドルユニット４３は、画像形成処理済みの用紙束を製本処理することができる。
【００３６】
インサータユニット４１、紙折りユニット４２、及びサドルユニット４３は、画像形成処理条件の設定によって、全てが使用されない場合があり、又はいずれか１以上のユニットが選択的に使用される場合がある。用紙後処理部４０を経由した用紙は、排紙部５０へ搬送される。
【００３７】
排紙部５０は、排紙トレイ５１を有している。この実施形態では、排紙部５０は、パンチユニット及びフィニッシャをさらに有している。
【００３８】
パンチユニットは、用紙にパンチ孔を開けることができる。フィニッシャは、複数の用紙の両端部を整合する整合処理や、複数の用紙を束ねるステープル処理を行うことができる。画像形成処理済みの用紙は、排紙トレイ５１へ排出されて収容される。
【００３９】
排紙部設置操作部１６０は、排紙部５０に取り付けられる構成を含めて排紙部５０の近傍に設置される。この実施形態では、排紙部設置操作部１６０は、排紙部５０の上部に、表示画面を正面側へ向けて設置されている。排紙部設置操作部１６０には、単一又は複数の用紙に画像形成処理を行う印刷ジョブの進行状況に関する情報が表示される。
【００４０】
図２に示すように、画像形成装置１０は、制御部７０、画像処理部７１、記憶部７２、及び送受信部７３をさらに備えている。
【００４１】
送受信部７３には、１以上の外部のＰＣ端末装置８１，８２，８３がネットワーク接続されている。送受信部７３には、単一又は複数の用紙に画像形成処理を行う印刷ジョブが、ＰＣ端末装置８１〜８３から入力する。送受信部７３は、印刷ジョブが入力する入力部を構成している。送受信部７３は、各ＰＣ端末８１〜８３へ各種のメッセージを送信する。
【００４２】
画像処理部７１は、画像読取部３３に含まれ、画像読取部３３において原稿の画像内容に応じて出力したＲｅｄ，Ｇｒｅｅｎ，ＢｌｕｅのＲＧＢアナログ画像信号をデジタル処理し、シアン、マゼンタ、イエロー、及びブラックのＣＭＹＫデジタル信号に変換して画像データとして出力する。
【００４３】
記憶部７２は、制御プログラム、及び画像データ等を記憶する。
【００４４】
本体操作部３４は、第１表示部３４１及び第１入力操作部３４２を含む。一例として、本体操作部３４は、液晶タッチパネルで構成される。第１入力操作部３４２は、画像形成処理条件の設定や処理実行指示等の動作指示の入力操作を受け付ける。第１表示部３４１は、印刷ジョブの進行状況に関する情報やエラー表示等の種々の情報の表示を行う。
【００４５】
制御部７０は、印刷ジョブが入力すると、記憶部７２に画像データを一旦退避させ、大容量給紙部２０又は本体給紙部３１から用紙を画像形成部３２へ供給し、本体操作部３４から入力された動作指示に従い、記憶部７２から画像データを読み出して画像形成部３２へ出力し、画像形成部３２において画像データに基づく画像形成処理を行わせる。また、制御部７０は、必要に応じて用紙後処理部４０に後処理を行わせた後、排紙部５０の排紙トレイ５１へ用紙を排出させる。
【００４６】
排紙部設置操作部１６０は、第２表示部１６１及び第２入力操作部１６２を含む。一例として、排紙部設置操作部１６０は、液晶タッチパネルで構成される。第２入力操作部１６２は、画像形成処理条件の設定や処理実行指示等の動作指示の入力操作を受け付ける。第２表示部１６１には、印刷ジョブの進行状況に関する情報等の種々の情報が表示される。
【００４７】
このように、排紙部設置操作部１６０は、本体操作部と同様の入力操作の受け付け及び表示を行うことができるように構成されている。具体的には、例えば、ユーザは、排紙トレイ５１に排出された排出紙を確認し、排出紙に対する用紙後処理及び画像形成処理のうち少なくともいずれか一方の内容が自己の要求に沿わない場合に、画像形成装置１０の動作を中断させる割り込み処理を実行するように、排紙部設置操作部１６０で入力操作を行うことができる。また、ユーザは、排紙トレイ５１の確認中又は排紙トレイ５１からの排出紙の取り出し中などに、実行待ち中の印刷ジョブの一覧を表示させる入力操作、実行待ち中の印刷ジョブの画像形成条件を変更する入力操作、実行待ち中の印刷ジョブの実行順序を変更する入力操作、並びに、自動原稿搬送装置３３２にセットした原稿に対する画像読取処理、画像形成処理、及び用紙後処理の条件設定や開始指示の入力操作を、排紙部設置操作部１６０で行うことができる。
【００４８】
図３に示すように、制御部７０は、印刷ジョブの入力を待機し（Ｓ１）、印刷ジョブの入力があると、印刷ジョブを実行する（Ｓ２）。
【００４９】
制御部７０は、画像形成装置１０の状態情報を取得し（Ｓ３）、状態情報に基づいて印刷ジョブの実行中であるか否かを判定する（Ｓ４）。制御部７０は、印刷ジョブと印刷ジョブとの合間、割り込み処理時の処理待ち時間中、及び時刻指定印刷時の待ち時間中等の、待機中には、実行待ち中の印刷ジョブの識別情報の一覧を実行順序情報とともに、排紙部設置操作部１６０に表示させる（Ｓ５）。印刷ジョブの識別情報の一例として、印刷ジョブのジョブ名が挙げられる。
【００５０】
このように、排紙部５０の近傍に設置された排紙部設置操作部１６０に実行待ち中の印刷ジョブの識別情報の一覧が実行順序情報とともに表示されるので、ユーザは、自己が入力した印刷ジョブが実行される順序を、排紙トレイ５１を確認しつつ、容易に認識することができる。これによって、ユーザは、自己が入力した印刷ジョブによって画像形成処理された用紙があとどのくらいの時間で排紙トレイ５１に排出されるのか、画像形成装置１０から一旦離れた場合にどのくらいの時間で排紙トレイ５１へ排出紙を取り出しに戻って来たらいいのかを、排紙トレイ５１を確認しつつ、容易に予想することができる。
【００５１】
印刷ジョブの待機中に、排紙部設置操作部１６０には、実行待ち中の印刷ジョブのジョブ名の一覧とともに、それぞれの印刷ジョブを入力したユーザ名及び印刷枚数を表示することが好ましい。
【００５２】
制御部７０は、印刷ジョブの待機中と実行中とで排紙部設置操作部１６０の表示内容を切り換える。
【００５３】
制御部７０は、印刷ジョブの実行中には、実行中の印刷ジョブの識別情報を排紙部設置操作部１６０に表示させる（Ｓ６）。これによって、ユーザは、排紙トレイ５１に排出中の排出紙が、自己が入力した印刷ジョブによるものなのか否かを容易に認識することができる。なお、排紙部設置操作部１６０には、実行中の印刷ジョブのジョブ名とともに、印刷ジョブを入力したユーザ名及び印刷枚数を表示することが好ましい。
【００５４】
このように、画像形成装置１０では、排紙部５０の近傍に排紙部設置操作部１６０が設置され、排紙部設置操作部１６０に印刷ジョブの進行状況が表示されるので、ユーザは、立ち位置を変えずかつ視線を移す距離を小さくして、排紙部設置操作部１６０と排紙トレイ５１との両方を容易に確認することができる。このため、印刷ジョブの進行状況の確認と、自己が入力した印刷ジョブによって画像形成処理された用紙が実際に排出されたか否かの確認とを、連続的に容易に行うことができる。したがって、画像形成装置１０によれば、排出紙の取り出しの作業性を向上することができる。
【００５５】
制御部７０は、印刷ジョブの実行中に、実行中の印刷ジョブの識別情報を排紙部設置操作部１６０に、表示画面の全域への表示又は強調表示の少なくともいずれか一方を行わせることが好ましい。
【００５６】
実行中の印刷ジョブの識別情報を排紙部設置操作部１６０の表示画面の全域へ表示させることによって、ユーザによる視認性を向上することができる。このため、画像形成装置１０から離隔した場所からでも、自己が入力した印刷ジョブの完了時期が近くなったことを容易に認識することができる。実行中の印刷ジョブの識別情報を排紙部設置操作部１６０に強調表示させることによって、ユーザへの注意喚起性を高めることができる。強調表示の具体的方法として、フラッシュ表示や点滅表示が挙げられる。
【００５７】
さらに、制御部７０は、印刷ジョブの実行中に、実行中の印刷ジョブの識別情報の表示色を通常色から予め設定された所定の目立つ色即ち注意喚起色へ変更することが好ましい。これによっても、ユーザへの注意喚起性を高めることができる。
【００５８】
また、制御部７０は、印刷ジョブの実行中に排紙部設置操作部１６０に表示される印刷ジョブの識別情報が印刷ジョブのユーザ名を含むように構成することができる。これによって、実行中の印刷ジョブが、自己が入力した印刷ジョブであることを、直感的に認識することができる。このため、自己が入力した印刷ジョブの完了時期が近くなったことをより容易に認識することができる。
【００５９】
なお、制御部７０は、印刷ジョブの実行中であっても、ユーザが排紙部設置操作部１６０を操作することで、実行待ち中の印刷ジョブの識別情報の一覧を排紙部設置操作部１６０に表示させるように構成されている。
【００６０】
制御部７０は、画像形成装置１０の状態情報を取得し（Ｓ７）、印刷ジョブが終了したか否かを判定する（Ｓ８）。
【００６１】
制御部７０は、印刷ジョブが終了した場合は、排紙部設置操作部１６０における識別情報の表示を消去させる（Ｓ９）。
【００６２】
制御部７０は、画像形成装置１０の状態情報を取得し（Ｓ１０）、未実行の印刷ジョブがあるか否かを判定する（Ｓ１１）。制御部７０は、未実行の印刷ジョブがある場合は、Ｓ２の処理へ戻って未実行の印刷ジョブを実行する。制御部７０は、未実行の印刷ジョブが無い場合は、Ｓ１の処理へ戻って新規に印刷ジョブが入力するまで待機する。
【００６３】
制御部７０は、Ｓ８の処理において印刷ジョブの実行中、排紙部設置操作部１６０における割り込み入力操作が行われない場合（Ｓ１２）、Ｓ６の処理に戻って実行中の印刷ジョブの識別情報を排紙部設置操作部１６０へ表示し続ける。
【００６４】
制御部７０は、印刷ジョブの実行中に排紙部設置操作部１６０における割り込み入力操作が行われた場合、割り込み処理を実行する（Ｓ１３）。例えば、ユーザは、排紙トレイ５１に排出された排出紙を確認し、排出紙に対する用紙後処理及び画像形成処理のうち少なくともいずれか一方の内容が自己の要求に沿わない場合に、画像形成処理及び用紙後処理等の画像形成装置１０の動作を中断させる割り込み処理を実行する。
【００６５】
排紙部設置操作部１６０は、割り込み処理を終了させる入力操作を受け付けることができる。
【００６６】
制御部７０は、割り込み処理を終了させる入力操作が行われると（Ｓ１４）、Ｓ１１の処理へ進んで、未実行の印刷ジョブがある場合はＳ２の処理へ戻って未実行の印刷ジョブを実行し、未実行の印刷ジョブが無い場合はＳ１の処理へ戻って新規に印刷ジョブが入力するまで待機する。
【００６７】
画像形成装置１０では、画像形成装置本体３０と排紙部５０とが互いに異なる筐体で構成されて横並びに配置され、画像形成装置本体３０と排紙部５０との間に用紙後処理部４０が配置されるので、画像形成装置本体３０と排紙トレイ５１との間の距離が長くなり、本体操作部３４と排紙トレイ５１との間の距離も長くなる。しかし、排紙部５０の近傍に排紙部設置操作部１６０が設置され、この排紙部設置操作部１６０に印刷ジョブの進行状況に関する状況が表示されるので、本体操作部３４を確認した後に排紙トレイ５１へ移動するといった作業をする必要がなく、排紙部５０の近傍から立ち位置を変えずに、印刷ジョブの進行状況の確認と、自己が入力した印刷ジョブによって画像形成処理された用紙が実際に排出されたか否かの確認とを、連続的に容易に行うことができる。
【００６８】
また、排紙トレイ５１の確認中に動作指示の入力操作を行う必要が生じた場合、排紙トレイ５１の近傍から立ち位置を変えずかつ視線を移す距離を小さくして、動作指示の入力操作を行うことができる。
【００６９】
したがって、画像形成装置１０によれば、排出紙の取り出しの作業性を向上することができる。
【００７０】
また、排紙部設置操作部１６０は、本体操作部３４における割り込み入力操作を禁止する割り込み禁止設定の入力操作を受け付けるように構成することができる。
【００７１】
先に印刷ジョブの実行を開始した第１ユーザが、排紙トレイ５１の近傍に立って排出紙が排出されるのを確認している際に、他の第２ユーザが画像形成装置本体３０において原稿をセットして本体操作部３４を操作することで印刷ジョブを開始させようとした場合に、第１ユーザは、割り込み禁止設定の入力操作を、排紙部設置操作部１６０において行うことができる。このため、第１ユーザは、排紙トレイ５１の確認中に立ち位置を変えずに第２ユーザによる割り込み入力操作を禁止し、自己の複数の印刷ジョブを連続して実行させることができる。
【００７２】
なお、図４に示すように、画像形成装置本体３０と排紙部５０との間に配置される用紙後処理部４０の用紙搬送方向９１に沿う方向の距離が長い画像形成装置１１ほど、排出紙の取り出しの作業性を向上することができるという本発明の効果がより顕著となる。
【００７３】
また、図５に示すように、大容量給紙部２０及び用紙後処理部４０を備えず、画像形成装置本体３０に排紙トレイ５１が設置された画像形成装置１２に、本発明を適用することもできる。画像形成装置１２では、図示しない排紙ローラ、及び排紙トレイ５１が排紙部５０に含まれる。排紙部設置操作部１６０は、排紙ローラ及び排紙トレイ５１の近傍に設置される。一例として、画像形成装置１２では、排紙部設置操作部１６０は、排紙トレイ５１の正面側側面に、表示画面を正面側斜め上方へ向けて取り付けられる。
【００７４】
画像形成装置１２によれば、排紙トレイ５１と排紙部設置操作部１６０とが隣接配置され、排紙部設置操作部１６０に印刷ジョブの進行状況に関する情報が表示されるとともに排紙部設置操作部１６０において動作指示の入力操作を行うことができるので、排出紙の取り出しの作業性を向上することができる。
【００７５】
さらに、排紙部設置操作部１６０は、排紙部５０に取り付けられるように構成することができる。この構成によれば、排紙部設置操作部１６０と排紙トレイ５１との距離がより近くなり、印刷ジョブの進行状況の確認と、自己が入力した印刷ジョブによって画像形成処理された用紙が実際に排出されたか否かの確認とを連続的に行うことが、より容易になる。
【００７６】
また、排紙部設置操作部１６０は、排紙部５０に着脱自在に設置され、排紙部５０から離脱した状態において制御部７０との間で無線情報通信を行うように構成することができる。この構成によれば、画像形成装置１０から離隔した場所からでも、印刷ジョブの進行状況の確認、及び動作指示の入力操作を行うことができる。一例として、排紙部設置操作部１６０は、スマートフォン等のようにタブレット型端末装置で構成することができる。
【００７７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７８】
１０，１１，１２  画像形成装置
２０  大容量給紙部
３０  画像形成装置本体
３２  画像形成部
３４  本体操作部
４０  用紙後処理部
５０  排紙部
１６０  排紙部設置操作部
１６１  第２表示部（表示部）
１６２  第２入力操作部（入力操作部）
７０  制御部
７２  記憶部
７３  送受信部（入力部）
【図１】
0005936434.tif 000002
【図２】
0005936434.tif 000003
【図３】
0005936434.tif 000004
【図４】
0005936434.tif 000005
【図５】
0005936434.tif 000006